(57)【要約】【課題】  内容物が減少してきた場合に、トレーを変形して小さな容器とすることができるとともに、変形した形状を保持できる包装容器を提供する。【解決手段】  一面が開口した略直方体形状のトレー３０と、当該トレー３０を収納するケースと、からなる包装容器であって、トレー３０が、開口した一面に対向する底面３１から長手方向に延びる延長片３６、底面３１の長手方向中央部付近に、当該トレー３０の開口を内側として折り曲げ可能とする折曲機構４３、底面３１に、トレー３０における折曲機構４３を折り曲げた場合に延長片３６を係止できる係止部４７、を有する包装容器により、上記課題を解決する。【選択図】      図３
2006290413.tif 000002
【特許請求の範囲】
【請求項１】
ケースと、当該ケースに収納され一面が開口した略直方体形状のトレーと、からなる包装容器であって、
前記トレーは、
開口した一面に対向する底面から長手方向に延びる延長片、
前記底面の長手方向中央部付近に、当該トレーの開口を内側として折り曲げ可能とする折曲機構、
前記底面に、前記トレーにおける前記折曲機構を折り曲げた場合に前記延長片を係止できる係止部、
を有することを特徴とする包装容器。
【請求項２】
前記ケースは一対の対向する面が開口した略四角筒状であるとともに、前記トレーは前記ケースの開口から引き出し可能に収納されており、
前記延長片の一部が前記底面に接着されて引き出される側の側面となるとともに、前記延長片は、当該延長片の接着位置と前記側面との間に長手方向に交差する方向に繋がる切断可能な切込部を有し、
前記折曲機構は、底面の幅方向に前記側面と略同一の幅を有する二本の第一折線を少なくとも有し、
前記係止部は、前記底面における前記折曲機構より前記延長片を有さない側に設けられることを特徴とする請求項１に記載の包装容器。
【請求項３】
前記トレーは、前記延長片が少なくとも四本の第二折線を幅方向に有し、当該四本の第二折線がそれぞれ折られることにより引き出される方向の断面が略長方形である中空部を有するように形成される引出部を有することを特徴とする請求項１または２に記載の包装容器。
【請求項４】
前記トレーの前記底面における前記折曲機構より前記延長片を有さない側の幅方向長さと、前記底面における前記折曲機構よりも前記延長片を有する側の幅方向長さと、が異なることを特徴とする請求項１乃至３のいずれか一項に記載の包装容器。
【請求項５】
略直方体形状の一面が開口しているトレーであって、
開口した一面に対向する底面から長手方向に延びる延長片、
前記底面の長手方向中央部付近に、当該トレーの開口を内側として折り曲げ可能とする折曲機構、
前記底面に、前記トレーにおける前記折曲機構を折り曲げた場合に前記延長片を係止できる係止部、
を有することを特徴とするトレー。
【発明の詳細な説明】
【技術分野】
【０００１】
本発明は、ケースと当該ケースに収納されるトレーとからなる包装容器、および、当該包装容器に含まれるトレーに関するものである。
【背景技術】
【０００２】
菓子等を収納する容器として、略四角筒形状のケースと当該ケースに収納されるトレーとからなる紙製の包装容器が知られている。
【０００３】
このような包装容器の内容物が減少してくると、内容物に比べて容器自体が大きく、使用者にとって容器がじゃまになる場合がある。そのため、トレーを略半分に折ることにより、小さい容器に変形して利用することができるカートンが知られている（例えば、特許文献１参照）。
【０００４】
一方、同様の包装容器において、使用者がケースからトレーを引き出す際に持ちやすいよう、引き出す側のトレーの側面が引き出す方向にたおれるような形状であり、その構成のためにトレーの一部に内容物が入らない空間を有する包装容器が知られている（例えば、特許文献２参照）。
【特許文献１】特開２００２−３０８２５１号公報
【特許文献２】特開平７−２４２２３０号公報
【発明の開示】
【発明が解決しようとする課題】
【０００５】
上述の特許文献１に記載のカートンは、粒ガムのような小さな内容物を収納することに適している。しかしながら、このような容器をチョコレートのような一つ辺りの大きさや質量が大きい内容物に用いた場合や、引用文献２に記載の容器のように内容物が入らない空間のあるトレーに用いた場合には、トレーを略半分に折って小さい容器に変形した際に、トレーにおいて小さい容器の高さ分としてとられる面積が大きくなる等、残った内容物を入れる容積を確保できないという不都合があった。また、同様の場合に、変形した形状にしっかりと保持できず、開いてしまうという不都合もあった。
【０００６】
そこで、本発明の目的は、ケースと当該ケースに収納され一面が開口した略直方体形状のトレーとからなる包装容器であって、内容物が減少してきた場合に、トレーを変形して小さな容器とすることができるとともに、変形した形状を保持できる包装容器を提供することにある。
【課題を解決するための手段】
【０００７】
上記課題を解決する本発明の包装容器は、ケースと、当該ケースに収納され一面が開口した略直方体形状のトレーと、からなる包装容器であって、前記トレーは、開口した一面に対向する底面から長手方向に延びる延長片、前記底面の長手方向中央部付近に、当該トレーの開口を内側として折り曲げ可能とする折曲機構、前記底面に、前記トレーにおける前記折曲機構を折り曲げた場合に前記延長片を係止できる係止部、を有することを特徴とする。
【０００８】
この発明によれば、トレーの内容物が減少した場合に、折曲機構を折り曲げることにより、トレーの大きさの半分程度である小さな容器に変形して、内容物を収納することができる。そして、延長片を係止部により係止することにより、変形後の容器が不意に開かないようにできる。このように、本発明の包装容器によれば、内容物が減少した場合に容器を小型に変形することができ、変形した形状を保持できるものになる。
【０００９】
上記本発明の包装容器において、前記ケースは一対の対向する面が開口した略四角筒状であるとともに、前記トレーは前記ケースの開口から引き出し可能に収納されており、前記延長片の一部が前記底面に接着されて引き出される側の側面となるとともに、前記延長片は、当該延長片の接着位置と前記側面との間に長手方向に交差する方向に繋がる切断可能な切込部を有し、前記折曲機構は、底面の幅方向に前記側面と略同一の幅を有する二本の第一折線を少なくとも有し、前記係止部は、前記底面における前記折曲機構より前記延長片を有さない側に設けられることを特徴とする。
【００１０】
この発明によれば、トレーの内容物が減少した場合に、具体的に、トレーの前記延長片の切込部を切断し、第一折線を折ることにより、トレーの大きさの半分程度である小さな容器に変形して、内容物を収納することができる。そして、切込部を切断した後の延長片を係止部により係止することにより、変形後の容器が不意に開かないようにできる。このように、本発明の包装容器によれば、内容物が減少した場合に容器を小型に変形することができ、変形した形状を保持できるものになる。
【００１１】
上記本発明の包装容器において、前記トレーは、前記延長片が少なくとも四本の第二折線を幅方向に有し、当該四本の第二折線がそれぞれ折られることにより引き出される方向の断面が略長方形である中空部を有するように形成される引出部を有することを特徴とする。
【００１２】
この発明によれば、上述の効果に加え、引出部が開口した側から押すと引き出される方向につぶれることとなるため、包装容器の使用者がトレーを引き出しやすくなる。また、切込部が設けられた部位が引出部となり押すことにより動くため、使用者は切込部を切断しやすくなる。さらに、トレーに引出部を設けても、小型に変形した場合の容積が確保できる。
【００１３】
上記本発明の包装容器において、前記トレーの前記底面における前記折曲機構より前記延長片を有さない側の幅方向長さと、前記底面における前記折曲機構よりも前記延長片を有する側の幅方向長さと、が異なることを特徴とする。
【００１４】
よって、折曲機構を折ってトレーの大きさの半分程度である小さな容器に変形する際に、例えば、底面における折曲機構より延長片を有さない側の幅方向長さを大きくすることにより、当該延長片を有さない側の各側面の中に、折曲機構よりも延長片を有する側の各側面を入れ込むことができ、変形した小さな容器が型くずれし難くなる。
【００１５】
上記課題を解決する本発明のトレーは、略直方体形状の一面が開口しているトレーであって、開口した一面に対向する底面から長手方向に延びる延長片、前記底面の長手方向中央部付近に、当該トレーの開口を内側として折り曲げ可能とする折曲機構、前記底面に、前記トレーにおける前記折曲機構を折り曲げた場合に前記延長片を係止できる係止部、を有することを特徴とする。
【００１６】
よって、トレーの内容物が減少した場合に、トレーの折曲機構を折ることにより、トレーの大きさの半分程度である小さな容器に変形して、内容物を収納することができる。そして、延長片を係止部により係止することにより、変形後の容器が不意に開かないようにできる。このように、本発明のトレーによれば、内容物が減少した場合にトレーを小型に変形することができ、変形した形状を保持できるものになる。
【発明の効果】
【００１７】
本発明の包装容器およびトレーによれば、その内容物が減少してきた場合に、トレーを小型に変形することができ、変形した形状を保持できるものになる。
【発明を実施するための最良の形態】
【００１８】
以下に、本発明の包装容器およびトレーについて、図面を参照して説明する。なお、本実施形態は、本発明を実施するための一形態に過ぎず、本発明は本実施形態によって限定されるものではない。
【００１９】
図１は、本発明の包装容器の一例を示す全体斜視図であり、図２は、本発明の包装容器に設けられるケースの一例を示す斜視図であり、図３は、本発明の包装容器に設けられるトレーの一例を示す斜視図およびその断面図である。図４は、トレーのブランク体の一例を示す図であり、図５は、トレーを変形する過程を示す図である。図６は、トレーの他の例を示す斜視図およびブランク体を示す図である。
【００２０】
図１乃至図３に示すように、本発明の包装容器１０は、ケース２０と、当該ケース２０に収納され一面が開口した略直方体形状のトレー３０と、からなる。各図においては、具体的に、ケース２０は、一対の対向する面が開口した略四角筒形状であり、トレー３０は、ケース２０の開口２１から引き出し可能に収納されている。
【００２１】
トレー３０が引き出される方向は、ケース２０における開口２１を有するいずれかの方向（図１から図３中の矢印Ａ方向）であり、通常、包装容器１０における長手方向となる。なお、本発明においては、トレーが引き出される方向Ａを長手方向とし、トレー３０の底面３１において、長手方向に略垂直な方向を幅方向という。
【００２２】
まず、包装容器１０に設けられるトレー３０について、図３乃至図６を用いて説明する。
【００２３】
トレー３０は、図３（ａ）に示すように、底面３１とこれに略垂直に形成される各側面３２、３３、３４、３５（引き出される側の前側面３２、前側面３２に対向する後側面３３、開口側から前側面３２に向かって右側の右側面３４、右側面３４に対向する左側面３５）により構成される。そして、トレー３０は、開口した一面に対向する底面３１から長手方向に延びる延長片３６、底面３１の長手方向中央部付近に、当該トレー３０の開口を内側として折り曲げ可能とする折曲機構４３、底面３１に、トレー３０における折曲機構４３を折り曲げた場合に延長片３６を係止できる係止部４７、を有している。以下、具体的にトレー３０の各構成について説明する。
【００２４】
トレー３０は、図４のブランク体４０に示すように、開口した一面に対向する底面３１から長手方向（引き出される方向：図１から図３中の矢印方向）に延びる延長片３６を有している。そして、延長片３６は、その一部３６１が底面３１に接着されて、引き出される側の前側面３２となっている。
【００２５】
延長片３６は、当該延長片３６の接着位置３６１と側面３２との間に幅方向に繋がる切込部３７を有する。図３乃至図５に示すように、切込部３７は、具体的に、延長片３６の先端部３６２に向かって略Ｖ字状に形成することができる。この切込部３７は、後述するようにトレー３０を変形する際に、切断される部位であり、ミシン目状に切り込みが入っている。なお、切込部３７の変形形態については図６を用いて後述する。
【００２６】
図３および図４において、トレー３０は、延長片３６が、少なくとも四本の第二折線３８１、３８２、３８３、３８４を幅方向に有することにより、図３（ｂ）に断面図を示すように、引き出される方向の断面が長方形である中空部４１を有するように折られて形成される引出部４２を有する形状となっている。この形状は、引出部４２を使用者がつまむことにより、図３（ｂ）の矢印Ｂのように力が加わり、図３（ｂ）の破線で示すように引出部４２がつぶれて持ちやすくなり、ケース２０からトレー３０を引き出しやすくなる。なお、前側面３２の変形態様については、図６を用いて後述する。
【００２７】
また、図３および図４に示すように、トレー３０は、底面３１の長手方向における中央部付近に、トレー３０の開口を内側として折り曲げ可能とする折曲機構４３を有している。折曲機構４３は、長手方向に略垂直であり、各側面３２、３３、３４、３５と略同一または若干大きい幅を有する二本の第一折線４３１を少なくとも有する。
【００２８】
この折曲機構４３は、二本の第一折線４３１を折って、トレー３０を変形した場合に、変形しやすい構成となっている。例えば、図３および図４に示すように、トレー３０は、右側面３４および左側面３５に二本の第一折線４３１が延長して設けられ、当該両側面３４、３５に二本の第一折線４３１間を略Ｖ字状に切り欠いた切欠部４４、切欠部４４の先端４４１から二本の第一折線４３１とトレー３０の辺（折り目）４５との交差点４５１までつながる折線４６、を有する形状となっている。そのため、トレー３０を折る部分が上述のような形状となっていることにより、第一折線４３１を折ると、自然と折線４６が内部に折り込まれることになり、使用者が小型の容器に変形しやすくなる。なお、折曲機構４３の変形態様については、図６を用いて後述する。
【００２９】
トレー３０の底面３１に、トレー３０における折曲機構４３を折り曲げた場合に延長片３６を係止できる係止部４７が設けられる。係止部４７は、その機能のため、図３および図４に示すように、通常はトレー３０の底面３１における折曲機構４３より延長片３６を有さない側Ｃに設けられる。図３および図４に示す係止部４７は、底面３１の幅方向に略平行な一本の直線に略垂直に切り込みを入れたＴ字状の二本の直線となっている。係止部４７の変形態様については、図６を用いて後述する。
【００３０】
なお、図４に示すブランク体４０について、ケース３０の辺をそれぞれ折ることにより側面３２、３３、３４、３５を立ち上げ、後側面３３については右側面３４および左側面３５から延びる片４８を後側面３３とその延長片３３１とで挟んで接着等により固定し、前側面３２については延長片３６の第二折線３８１、３８２、３８３を底面３１側が山になるように折り、第二折線３８４を底面３１側が谷になるように折り、第二折線３８４よりも先端側の一部３６１が底面３１の内側に接着されている。
【００３１】
ここで、図３および図５を用いて、トレー３０を変形して小さな容器とする過程について説明する。
【００３２】
図３における二本の第一折線４３１を底面３１が外側になるように折ることにより（図５（ａ）参照）、その他の折線４６が自然に折れ、トレー３０における延長片３６を有さない側Ｃが蓋のようになる。一方、図３における切込部３７を切断することにより（図５（ａ）、（ｂ）参照）、図５（ａ）に示すように引出部４２の空間が内容物を収納できるスペースになる。また、切込部３７を切断した後の延長片３６は、図５（ｃ）に示すように、底面３１に近い二本の第二折線３８１、３８２を折り曲げるとともに、延長片３６の先端をトレー３０の係止部４７に差し込み、小型の容器５０となる。
【００３３】
続いて、図６を用いて上述のトレー３０の変形形態について説明する。
【００３４】
トレー３０における前側面３２は、図６（ａ）の斜視図、図６（ｂ）のブランク体４０に示すように、トレー３０の延長片３６が、三本の第二折線３８１、３８２、３８３を幅方向に有することにより、通常の縁を有する形状となっている。右側面３４および左側面３５から延びる片４９を前側面３２とその延長片３６とで挟んで延長片３６の一部を接着等により固定することができる。この場合にも、延長片３６は切込部３７を有しており、切込部３７の先端等から切り離すことにより、上述のトレー３０と同様に小型の容器５０に変形できる。
【００３５】
トレー３０における切込部３７は、延長片３６の接着位置３６１と側面３２との間に幅方向に繋がるものであり、切り離すことができるものであれば、特に限定されないが、例えば、図６（ａ）、図６（ｂ）に示すように延長片３６の幅方向に略平行な直線状に形成することもできるし、延長片３６の先端部３６２に向かって略Ｕ字状に形成することができる。
【００３６】
また、トレー３０は、図示しないが、切込部３７を有していなくてもよい。その場合には、接着された延長片３６の一部３６１を底面３１からはがすことが可能になっていればよく、はがされた延長片３６が係止部４７に係止できるようになっていればよい。この場合、延長片３６の一部は、着脱が可能となる接着剤等によりトレー３０の底面３１に貼り付けられることとなる。
【００３７】
一方、トレー３０における係止部４７は、切込部３７を切断した後の延長片３６を係止できるものであれば、特に限定されないが、例えば、一本の直線、十字状の二本の直線、他の形状の曲線等でもよく、図６（ａ）、図６（ｂ）に示すような細長い開口４７１となっていてもよい。
【００３８】
切込部３７を含む延長片３６と係止部４７との関係は、上述のように延長片３６を係止部４７が係止できる関係になっていればよく、特に限定されないが、図５（ｃ）に示すように延長片３６の先端を折らずに係止部４７に差し込む形態にしてもよいし、図示しないが、延長片３６の先端を折り返して係止部４７に差し込む形態にしてもよい。また、図６（ａ）、図６（ｂ）に示すように、延長片３６の途中に幅方向に略平行な折線４９１とその中心付近の前側面３２側に凸形状である切り込み（係合凸部）４９２とから、折線４９１を折ることにより係合凸部４９２を係止部４７１に差し込む形態にしてもよい。
【００３９】
また、折曲構造４３は、例えば、図６（ａ）、図６（ｂ）に示すように、トレー３０の右側面３４および左側面３５における二本の第一折線４３１が延長した位置を切断できるように、切取線４３２を設けることができる。また、折曲構造４３は、図示しないが、図６における切取線４３２をはじめから切断しておく構成や、図６（ｃ）にブランク体の一部を示すように、上述の切欠部４４の形状を右側面３４および左側面３５における二本の第一折線４３１が延長した線の間全体を切断した略長方形形状とした切欠部４３３を有する構成等とすることができる。このように、折曲構造４３は、トレー３０の長手方向中央部付近に設けられ、トレーの開口を内側として折り曲げることが可能であれば、その構成は特に限定されない。
【００４０】
ここで、図３（ａ）におけるトレー３０の底面３１と右側面３４または左側面３５との間の折り目（トレー３０の辺）４５について、トレー３０の底面３１における第一折線４３１より延長片３６を有さない側Ｃの幅方向長さＷ１が、底面３１における第一折線４３１よりも延長片３６を有する側Ｄの幅方向長さＷ２と異なるようにし、第一折線４３１を境に折れた直線４５とすることができる（ブランク体は図示しない）。この場合、幅Ｗ１と幅Ｗ２とを若干異ならせることにより、トレー３０を変形して異なる容器５０とした場合に、トレー３０の幅Ｗ１を大きくした一方（例えばＣ側）で幅Ｗ２を小さくした他方（例えばＤ側）を覆いやすくなる。もちろん、上記した折り目（辺）４５は、直線としてもよい。
【００４１】
以上説明したトレー３０における各折線３８１、３８２、３８３、３８４、４３１、４５、４６等には、折りやすいように、溝や罫線、破線状の切り込み、半切、ハーフカット等が形成されていることが好ましい。
【００４２】
次いで、包装容器１０に設けられるケース２０について説明する。
【００４３】
図２に示すように、ケース２０は略四角筒状であり対向する二面に開口２１を有する形状をしており、トレー３０が過不足なく収納される大きさとなっている。その他の構成は特に限定されず、使用者がトレー３０を取り出しやすいように、図２に示すような切欠部２２を、トレー３０を引き出す側に設けていてもよい。この切欠部２２の形状は、図２に示すように略台形の形状でもよいし、略四角形、略三角形、円や楕円を切断したような形状でもよく、特に限定されない。また、図示しないが、ケース２０には、包装容器１０の内容物が見えるよう、一又は複数の窓を設けてもよい。この切欠部２２や窓は、意匠性等も考慮して設けられる。
【００４４】
ここで、包装容器１０を構成するケース２０とトレー３０の材質は、特に限定されないが、強度や折り曲げ易さ等を考慮して、通常、紙やプラスチック材、その他のシート状の材料が用いられる。紙を用いる場合、通常、コートボール紙、カートン紙、カップ原紙、ダンボール紙、板紙等（再生紙を含む）、カード紙等の通常の紙器加工に用いられる材料を使用できる。紙の厚さは、特に限定されないが、強度の高い紙を用いることが好ましい。具体的に、紙の厚さは、通常、０．１〜１．０ｍｍ程度、好ましくは０．１〜０．５ｍｍ程度、秤量値は、通常、１００〜６００ｇ／ｍ２程度である。また、プラスチック材を用いる場合、熱可塑性樹脂、熱硬化性樹脂、ポリエステル、ポリプロピレン、セロファン、ポリカーボネート、酢酸セルロース、ポリエチレン、ポリ塩化ビニル、ポリスチレン、ポリアミド、ポリイミド、ポリ塩化ビニリデン、ポリビニルアルコール、エチレン・酢酸ビニル共重合体けん化物、フッ素樹脂、塩化ゴム、アイオノマー、エチレン・アクリル酸共重合体、エチレン・アクリル酸エステル共重合体、等のプラスチックのフィルムや、ポリ乳酸（脂肪族ポリエステル樹脂）等の生分解性プラスチックフィルムを用いることができ、その他にもコンデンサー紙、パラフィン紙、不織布、アルミニウム箔やこれらを複合したフィルムを用いてもよい。なお、ケース２０とトレー３０は、通常、同様の材料から作製されるが、異なる材料から作製されてもよい。
【００４５】
また、ケース２０とトレー３０は、通常、それぞれ一枚のシート状材料から作製されるが、複数枚の材料から製造されてもよい。ただし、複数枚の材料を用いる場合には、包装容器１０を作製するための工程数が増えるため、一枚の材料を用いることが好ましい。
【００４６】
包装容器１０は、通常、直方体形状であり、図１に示すように、トレー３０の引き出し方向に長い形状となっている。直方体の各辺の比は、特に限定されず、用途に合わせて適宜設定される。
【００４７】
包装容器１０の大きさも、特に限定されないが、図１に示すように、直方体の各辺を縦Ｌ、横Ｗ、高さＨ、とすると、通常、縦Ｌ：５０〜１０００ｍｍ程度、横Ｗ：５〜１０００ｍｍ程度、高さＨ：５〜３００ｍｍ程度である。また、包装容器１０が通常の菓子等の用途に用いられる場合に、その大きさは、縦Ｌ：５０〜３００ｍｍ程度、横Ｗ：１０〜１００ｍｍ程度、高さＨ：５〜１００ｍｍ程度とする。なお、この大きさがケース２０の大きさとなり、ケース２０に収納されるトレー３０は、これよりも若干小さい大きさとする。
【００４８】
包装容器１０の内容物も、特に限定されないが、通常、菓子、他の食品、雑貨、化粧品、トイレタリー等であり、複数個入る内容物が好ましく用いられる。菓子としては、スティク形状やブロック形状等の一口サイズのチョコレートやビスケット、ガム等の菓子類などが挙げられる。
【００４９】
本発明の包装容器１０およびトレー３０は、上述の構成となっていれば、その他の機能等がさらに設けられていてもよい。
【図面の簡単な説明】
【００５０】
【図１】本発明の包装容器の全体の一例を示す斜視図である。
【図２】本発明の包装容器に設けられるケースの一例を示す斜視図である。
【図３】本発明の包装容器に設けられるトレーの一例を示す斜視図およびその断面図である。
【図４】トレーのブランク体の一例を示す図である。
【図５】トレーを変形する過程を示す図である。
【図６】トレーの他の例を示す斜視図およびブランク体を示す図である。
【符号の説明】
【００５１】
１０  包装容器
２０  ケース
２１  開口
２２  切欠部
３０  トレー
３１  底面
３２、３３、３４、３５  側面
３６  延長片
３７  切込部
３８１、３８２、３８３、３８４  第二折線
４１  中空部
４２  引出部
４３  折曲機構
４３１  第一折線
４３２  切取線
４４、４３３  切欠部
４５  トレーの辺
４６、４９１  折線
４７、４７１  係止部
４８１、４８２  右側面または左側面の延長片
４９２  係合凸部
５０  変形後の容器
【図１】
2006290413.tif 000003
【図２】
2006290413.tif 000004
【図３】
2006290413.tif 000005
【図４】
2006290413.tif 000006
【図５】
2006290413.tif 000007
【図６】
2006290413.tif 000008